(57)【特許請求の範囲】
【請求項１】
交換可能に装着される媒体から読み出される施設についてのデータを含む地図データを利用し経路案内を行うナビゲーション装置であって、
前記媒体から施設のジャンルについての優先度データを読み出し、読み出した優先度データに基づく優先度で施設のジャンルについての表示リストを作成する表示リスト作成手段と、
この表示リスト作成手段により作成された表示リストをユーザが施設のジャンルを選択するための画面として表示するリスト表示手段と、
を有し、
交換可能に装着される媒体毎に記憶されている優先度データに基づいて、施設のジャンルについての表示リストを表示することができることを特徴とするナビゲーション装置。
【請求項２】
請求項１に記載のナビゲーション装置に交換可能に装着される媒体であって、上記優先度データを記憶していることを特徴とする情報記憶媒体。
【発明の詳細な説明】
【０００１】
【発明の属する技術分野】
本発明は、媒体から読み出される地図データを利用するナビゲーション装置及びこれに利用される情報記憶媒体に関する。
【０００２】
【従来の技術】
従来より、車両に搭載され経路案内を行うナビゲーション装置が知られており、これを搭載する車両も増えてきている。このナビゲーション装置では、地図データベースを搭載しており、ＧＰＳ（グローバル・ポジショニング・システム）装置などにより検出した現在位置を地図上の位置として認識し、これを表示する。また、目的地が設定された場合には、現在位置などから目的地までの最適経路を探索する。
【０００３】
さらに、地図データベースには、各種施設などのデータも記憶されており、デパート、コンビニエンスストア、駅、病院などの検索対象となる施設を入力することで、現在地周辺の検索対象施設を検索することができるようになっている。
【０００４】
ここで、この施設検索を行う場合には、その施設を選択するためのデータを入力しなければならない。ところが、施設のジャンルは、スキー場、ゴルフ場、コンビニエンスストア、駅、病院、映画館、・・・と多岐にわたる。一方、車載のナビゲーション装置では、その入力手段が限られており、なるべく簡単な入力を行いたい。
【０００５】
そこで、よく使われると思われるジャンルについて、あらかじめ設定したリストを用意しておき、このリストからユーザが選択することで、施設を特定することが行われている。例えば、特開平１０−３０９３１号公報には、メニュー画面の表示を選択した場合に、あらかじめシステム側で用意したメニュー画面を表示し、ユーザがメニュー画面にリスト表示されたいずれかのジャンルを選択することにより、そのジャンルの検索へ移行する技術が開示されている。
【０００６】
【発明が解決しようとする課題】
しかし、このよく使われるジャンルというのはユーザによって好みが異なることもあり、システム側であらかじめリストを設定しておいても、それが十分有効に利用できないという問題点があった。
【０００７】
本発明は上記課題に鑑みなされたものであり、ユーザにとって使い勝手のよいリストを提供できるナビゲーション装置及びこれに利用される情報記憶媒体を提供することを目的とする。
【０００８】
【課題を解決するための手段】
本発明は、交換可能に装着される媒体から読み出される施設についてのデータを含む地図データを利用し経路案内を行うナビゲーション装置であって、前記媒体から施設のジャンルについての優先度データを読み出し、読み出した優先度データに基づく優先度で施設のジャンルについての表示リストを作成する表示リスト作成手段と、この表示リスト作成手段により作成された表示リストをユーザが施設のジャンルを選択するための画面として表示するリスト表示手段と、を有し、交換可能に装着される媒体毎に記憶されている優先度データに基づいて、施設のジャンルについての表示リストを表示することができることを特徴とする。
【０００９】
媒体には、各種の地図データが記憶されているが、媒体によってどのカテゴリーのデータについて詳細なデータが記憶されているかが異なる場合が多い。たとえば、ゴルフ関係施設などスポーツ施設について詳細なデータが記憶されているものや、博物館など文化施設について詳細なデータが記憶されているものなどがある。
【００１０】
そこで、媒体に応じて、分野をある程度絞ることができ、特定の媒体を利用するユーザは、その媒体が得意の分野のデータを欲していると考えられる。そこで、その媒体に得意な分野について優先する優先度データを記憶しておくことで、この優先度データを利用してナビゲーション装置が表示リストを作成することができる。従って、作成された表示リストは、ユーザの希望に合致したものになる可能性が高く、ユーザにとって使い勝手のよい有効な表示リストを提供することができる。
【００１２】
また、本発明に係る情報記憶媒体は、上記ナビゲーション装置に交換可能に装着される媒体であって、上記優先度データを記憶していることを特徴とする。
【００１３】
【発明の実施の形態】
以下、本発明の実施の形態（以下実施形態という）について、図面に基づいて説明する。
【００１４】
「全体構成」
図１は、ナビゲーション装置の全体構成を示すブロック図である。ナビゲーションＥＣＵ１０は、ナビゲーションのための各種データ処理を行う。このナビゲーションＥＣＵ１０には、図に示すような各種の装置が接続されている。
【００１５】
位置検出装置１２は、ＧＰＳ装置などで構成され、車両の現在位置を検出する。なお、Ｄ−ＧＰＳ装置、ビーコン受信機、方位検出装置など各種の装置を利用することができる。入力装置１４は、操作コマンドなど各種の入力を行うためのものであり、操作ボタンや、タッチパネルなどで構成される。ディスプレイ１６は、ナビゲーションのための地図画面など各種の表示を行う。また、入力装置１４をタッチパネルとした場合には、このディスプレイ１６の前面にタッチスイッチを形成することが好適である。スピーカ１８は、経路案内音声や、各種の操作ガイドを音声出力する。
【００１６】
そして、地図データベース２０には、各種の地図データが記録されている。そして、ナビゲーションＥＣＵ１０は、この地図データを利用して、経路探索、施設の探索、地図画面の表示などを行う。
【００１７】
たとえば、目的地を設定して、そこまでの経路を探索する場合には、入力装置１４を利用して、目的地を入力する。この目的地の入力は、たとえば地名や電話番号の入力により、対応する地図をディスプレイ１６に表示させ、地図上の該当個所をタッチすることなどによって行うことができる。そして、この目的地が入力された場合には、ナビゲーションＥＣＵ１０は、地図データベースの道路ネットワークのデータから、現在地から目的地までの最適経路を探索する。この探索には、ダイクストラ法など各種の探索方法が利用可能である。そして、経路が設定された場合には、ディスプレイ１６に設定経路、現在地を示し、経路案内が行われる。交差点における右左折などのガイドは、ディスプレイ１６にガイドの表示を行うとともに、スピーカ１８から音声でガイドすることが好適である。
【００１８】
地図データベース２０は、ＣＤ−ＲＯＭ、ＤＶＤ、ハードディスクなどの記憶媒体２０ａで構成されており、この記憶媒体２０ａは、少なくとも一部が交換が可能である。
【００１９】
そして、この記憶媒体２０ａを交換することで、施設探索の際に利用する「おすすめリスト」の内容が変更される。これについて、以下に説明する。
【００２０】
まず、目的地設定のボタンを押すことにより、図２に示すような「目的地設定」画面がディスプレイ１６に表示される。そして、この画面において、「施設」にタッチした場合には、よく利用されると思われる施設についての「おすすめリスト」が表示される。すなわち、図３に示すように、「ゴルフ場」、「駅」、「ホテル」、「役所」、「空港」、「コンビニ」、「病院」、「デパート」、「その他」が表示される。
【００２１】
そして、いずれかの施設をタッチすることで、そのジャンルの施設の中から希望のものを選択するための画面表示に移る。
【００２２】
ここで、本実施形態においては、このおすすめリストが、記憶媒体２０ａに応じて変化する。すなわち、ゴルフについての情報が得意な記憶媒体２０ａには、ゴルフ場、ゴルフ練習場、ゴルフ用品店などの施設について、優先度が高く設定された優先度データが記録されている。そして、ナビゲーションＥＣＵ１０は、記憶媒体２０ａから読み出した優先度データに基づき、「おすすめリスト」の画面を構成する。
【００２３】
これによって、図４に示すようなゴルフ関係の施設を優先的に表示する「おすすめリスト」が表示され、ユーザはこの「おすすめリスト」の中から施設を選択する。ユーザは、わざわざゴルフ関係に強い記憶媒体２０ａを利用しているのであり、ゴルフ関係の施設を目的地に選択する可能性が強く、「おすすめリスト」の中にユーザの目的とする施設が存在する確率が高くなり、使い勝手のよいリストを得ることができる。
【００２４】
また、記憶媒体２０ａを異なるものに取り替えた場合には、「おすすめリスト」が、たとえば図５に示したようなものになる。これは、記憶媒体２０ａに記憶されている優先度データが異なるからである。このように、ユーザの積極的な記憶媒体２０ａの選択に応じて「おすすめリスト」を変更することで、ユーザにより使い勝手のよい表示リストが得られる。
【００２５】
なお、上記例では、目的地の設定について説明したが、周辺施設の表示検索などにおいても同様の「おすすめリスト」を利用することができる。さらに、施設についての検索に限らず、各種のユーザの選択用の表示リストにおいて、表示するカテゴリーを記憶媒体の優先度データに基づいて決定することができる。たとえば、記憶媒体が特定の地域に対し、詳細なものであれば、その地域を優先して表示リストを構成することも好適である。
【００２６】
【発明の効果】
以上説明したように、本発明によれば、ユーザにおいて、使い勝手のよい、表示リストを表示することができる。
【図面の簡単な説明】
【図１】  装置の構成を示すブロック図である。
【図２】  目的地設定画面を示す図である。
【図３】  施設選択用のおすすめリストを示す図である。
【図４】  他のおすすめリストを示す図である。
【図５】  さらに、他のおすすめリストを示す図である。
【符号の説明】
１０  ナビゲーションＥＣＵ、１２  位置検出装置、１４  入力装置、１６  ディスプレイ、１８  スピーカ、２０  地図データベース、２０ａ  記憶媒体。
【図１】
0003827267.tif 000002
【図２】
0003827267.tif 000003
【図３】
0003827267.tif 000004
【図４】
0003827267.tif 000005
【図５】
0003827267.tif 000006